(57)【要約】【課題】  視聴者にコンテンツ自体への積極的な興味を抱かせる。【解決手段】  ハードディスクレコーダ１０は、ＨＤ装置２２と、映像出力部３０と、外部インターフェイス３８と、メモリ２８と、制御部３６と、書込ヘッド４６とを含む。ＨＤ装置２２は、コンテンツ情報を記憶する。映像出力部３０は、コンテンツ情報を出力する。外部インターフェイス３８は、コンテンツを視聴中の視聴者の反応を表わす生理現象の情報を時系列で受付ける。メモリ２８は、生理現象の情報を、コンテンツの再生時間に対応付けて記憶する。制御部３６は、メモリ２８が記憶した生理現象の情報のうち、視聴者の所定の反応を表わす情報に対応する、コンテンツの再生時間を特定する。書込ヘッド４６は、コンテンツ情報に、制御部３６が特定した再生時間を表わす情報を付加する。【選択図】        図１
2006339797.tif 000002
【特許請求の範囲】
【請求項１】
コンテンツを表わす情報であるコンテンツ情報を記憶するための第１の記憶手段と、
前記コンテンツ情報を出力するための出力手段と、
前記コンテンツを視聴中の視聴者の心拍を表わす情報を時系列で受付けるための受付手段と、
前記視聴者の心拍を表わす情報を、前記コンテンツの再生時間に対応付けて記憶するための第２の記憶手段と、
前記第２の記憶手段が記憶した視聴者の心拍を表わす情報のうち、前記視聴者の単位時間あたりの心拍数が前記コンテンツを視聴する期間において最大の心拍数であることを表わす情報に対応する、前記コンテンツの再生時間を特定するための特定手段と、
前記コンテンツ情報に、前記特定手段が特定した再生時間を表わす情報を付加するための付加手段とを含む、情報付加装置。
【請求項２】
コンテンツを表わす情報であるコンテンツ情報を記憶するための第１の記憶手段と、
前記コンテンツ情報を出力するための出力手段と、
前記コンテンツを視聴中の視聴者の反応を表わす生理現象の情報を時系列で受付けるための受付手段と、
前記生理現象の情報を、前記コンテンツの再生時間に対応付けて記憶するための第２の記憶手段と、
前記第２の記憶手段が記憶した生理現象の情報のうち、前記視聴者の所定の反応を表わす情報に対応する、前記コンテンツの再生時間を特定するための特定手段と、
前記コンテンツ情報に、前記特定手段が特定した再生時間を表わす情報を付加するための付加手段とを含む、情報付加装置。
【請求項３】
前記受付手段は、前記生理現象の情報として、前記視聴者の反応を表わす血流の拍動についての情報を時系列で受付けるための手段を含む、請求項２に記載の情報付加装置。
【請求項４】
前記血流の拍動についての情報を時系列で受付けるための手段は、前記視聴者の反応を表わす血流の拍動についての情報として、前記視聴者の心拍を表わす情報を時系列で受付けるための手段を含む、請求項３に記載の情報付加装置。
【請求項５】
前記受付手段は、前記生理現象の情報として、前記視聴者の心拍を表わす情報を時系列で受付けるための手段を含み、
前記特定手段は、前記第２の記憶手段が記憶した視聴者の心拍を表わす情報のうち、前記視聴者の単位時間あたりの心拍数が所定の要件を満たすことを表わす情報に対応する、前記コンテンツの再生時間を特定するための手段を含む、請求項２に記載の情報付加装置。
【請求項６】
前記コンテンツの再生時間を特定するための手段は、前記第２の記憶手段が記憶した視聴者の心拍を表わす情報のうち、前記視聴者の単位時間あたりの心拍数が前記コンテンツを視聴する期間において最大の心拍数であることを表わす情報に対応する、前記コンテンツの再生時間を特定するための手段を含む、請求項５に記載の情報付加装置。
【請求項７】
前記情報付加装置は、前記付加手段が情報を付加したコンテンツ情報を記録媒体に書込むための書込手段をさらに含む、請求項２に記載の情報付加装置。
【請求項８】
前記書込手段は、前記付加手段が情報を付加したコンテンツ情報をデジタル情報として記録媒体に書込むための手段を含む、請求項７に記載の情報付加装置。
【請求項９】
コンテンツを表わす情報であるコンテンツ情報を記憶する第１の記憶ステップと、
前記コンテンツ情報を出力する出力ステップと、
前記コンテンツを視聴中の視聴者の反応を表わす生理現象の情報を時系列で受付ける受付ステップと、
前記生理現象の情報を、前記コンテンツの再生時間に対応付けて記憶する第２の記憶ステップと、
前記第２の記憶ステップにおいて記憶した生理現象の情報のうち、前記視聴者の所定の反応を表わす情報に対応する、前記コンテンツの再生時間を特定する特定ステップと、
前記コンテンツ情報に、前記特定ステップにおいて特定した再生時間を表わす情報を付加する付加ステップとを含む各ステップをコンピュータに実行させるための情報付加プログラム。
【請求項１０】
情報付加プログラムを記録したコンピュータ読取り可能な記録媒体であって、
コンテンツを表わす情報であるコンテンツ情報を記憶する第１の記憶ステップと、
前記コンテンツ情報を出力する出力ステップと、
前記コンテンツを視聴中の視聴者の反応を表わす生理現象の情報を時系列で受付ける受付ステップと、
前記生理現象の情報を、前記コンテンツの再生時間に対応付けて記憶する第２の記憶ステップと、
前記第２の記憶ステップにおいて記憶した生理現象の情報のうち、前記視聴者の所定の反応を表わす情報に対応する、前記コンテンツの再生時間を特定する特定ステップと、
前記コンテンツ情報に、前記特定ステップにおいて特定した再生時間を表わす情報を付加する付加ステップとを含む各ステップをコンピュータに実行させるための情報付加プログラムを記録したコンピュータ読取り可能な記録媒体。
【発明の詳細な説明】
【技術分野】
【０００１】
本発明は、情報付加装置、情報付加プログラム、および情報付加プログラムを記録したコンピュータ読取り可能な記録媒体に関し、特に、テレビ信号に関する情報付加装置、情報付加プログラム、および情報付加プログラムを記録したコンピュータ読取り可能な記録媒体に関する。
【背景技術】
【０００２】
特許文献１は、映像情報および音響情報の少なくとも一方であるコンテンツ、および当該コンテンツにつき想定された評価値が記録されている記録媒体から、コンテンツおよび想定評価値を再生する光ヘッドと、その再生されたコンテンツに対する視聴者の反応が反応値として入力される反応値入力部と、その入力された反応値から、光ヘッドによって再生されたコンテンツに対する視聴者の評価を認識評価値として算出する認識評価値算出部と、その算出された認識評価値と、光ヘッドによって再生された想定評価値とを比較して、制御評価値を算出する制御評価値算出部と、その算出された制御評価値によって、光ヘッドによる記録媒体からのコンテンツの再生を制御するシステムコントローラとを備えるコンテンツ再生装置を開示する。
【０００３】
特許文献１に開示された発明によると、コンテンツ提供者が意図した印象や評価を視聴者に与えることができる。
【０００４】
特許文献２は、複数の部分コンテンツからなるコンテンツを、記録メディアから読取って、または送信元から受信して、その部分コンテンツを順次再生する方法であって、部分コンテンツ再生中の視聴者の反応または状態を検出し、その検出された反応または状態が、定められた条件を満たすか否かを判断し、条件を満たすときには、次の部分コンテンツの再生を開始するコンテンツ再生方法を開示する。
【０００５】
特許文献２に開示された発明によると、視聴者の操作を必要とすることなく、個々の視聴者のその時々に応じた適切なタイミングで、ある部分コンテンツから次の部分コンテンツに切り替えることができる。
【０００６】
特許文献３は、映像記録媒体に記録される映像および音声を再生する記録再生装置と、複数色を発光可能な照明装置と、冷暖気を発生する空調装置と、記録再生装置により再生される映像の変化に連動して照明および空調による環境が変化するよう照明装置および空調装置を制御する制御部と、利用者の手元から記録再生装置を制御可能とする操作パネルと、利用者の個人状況に基づき自動的に照明および空調による環境を変化させるメディテーションセンサとを備える瞑想室システムを開示する。
【０００７】
特許文献３に開示された発明によると、利用者の状態や要求により気分の鎮静化のみならず選択的に動的に室内環境を変化させて利用者に高揚感を与え、利用者の気分転換を効果的に図ることができる。
【特許文献１】特開２００２−３４４９０４号公報
【特許文献２】特開２００５−５１６５４号公報
【特許文献３】特開平７−１３６２７７号公報
【発明の開示】
【発明が解決しようとする課題】
【０００８】
しかしながら、特許文献１に開示された発明では、コンテンツ提供者が意図した印象や評価を視聴者に与えることができるが、コンテンツを視聴させる前に、コンテンツ自体への積極的な興味を抱かせることが難しいという問題点がある。
【０００９】
特許文献２および特許文献３に開示された発明にも、視聴者にコンテンツ自体への積極的な興味を抱かせることが難しいという問題点がある。
【００１０】
本発明は上述の問題点を解決するためになされたものであって、その目的は、視聴者にコンテンツ自体への積極的な興味を抱かせる情報付加装置、情報付加プログラム、および情報付加プログラムを記録したコンピュータ読取り可能な記録媒体を提供することにある。
【課題を解決するための手段】
【００１１】
上記目的を達成するために、本発明のある局面に従うと、情報付加装置は、第１の記憶手段と、出力手段と、受付手段と、第２の記憶手段と、特定手段と、付加手段とを含む。第１の記憶手段は、コンテンツを表わす情報であるコンテンツ情報を記憶する。出力手段は、コンテンツ情報を出力する。受付手段は、コンテンツを視聴中の視聴者の心拍を表わす情報を時系列で受付ける。第２の記憶手段は、視聴者の心拍を表わす情報を、コンテンツの再生時間に対応付けて記憶する。特定手段は、第２の記憶手段が記憶した視聴者の心拍を表わす情報のうち、視聴者の単位時間当たりの心拍数がコンテンツを視聴する期間において最大の心拍数であることを表わす情報に対応する、コンテンツの再生時間を特定する。付加手段は、コンテンツ情報に、特定手段が特定した再生時間を表わす情報を付加する。
【００１２】
本発明の他の局面に従うと、情報付加装置は、第１の記憶手段と、出力手段と、受付手段と、第２の記憶手段と、特定手段と、付加手段とを含む。第１の記憶手段は、コンテンツを表わす情報であるコンテンツ情報を記憶する。出力手段は、コンテンツ情報を出力する。受付手段は、コンテンツを視聴中の視聴者の反応を表わす生理現象の情報を時系列で受付ける。第２の記憶手段は、生理現象の情報を、コンテンツの再生時間に対応付けて記憶する。特定手段は、第２の記憶手段が記憶した生理現象の情報のうち、視聴者の所定の反応を表わす情報に対応する、コンテンツの再生時間を特定する。付加手段は、コンテンツ情報に、特定手段が特定した再生時間を表わす情報を付加する。
【００１３】
また、上述の受付手段は、生理現象の情報として、視聴者の反応を表わす血流の拍動についての情報を時系列で受付けるための手段を含むことが望ましい。
【００１４】
また、上述の血流の拍動についての情報を時系列で受付けるための手段は、視聴者の反応を表わす血流の拍動についての情報として、視聴者の心拍を表わす情報を時系列で受付けるための手段を含むことが望ましい。
【００１５】
また、上述の受付手段は、生理現象の情報として、視聴者の心拍を表わす情報を時系列で受付けるための手段を含むことが望ましい。併せて特定手段は、第２の記憶手段が記憶した視聴者の心拍を表わす情報のうち、視聴者の単位時間当たりの心拍数が所定の要件を満たすことを表わす情報に対応する、コンテンツの再生時間を特定するための手段を含むことが望ましい。
【００１６】
また、コンテンツの再生時間を特定するための手段は、第２の記憶手段が記憶した視聴者の心拍を表わす情報のうち、視聴者の単位時間当たりの心拍数がコンテンツを視聴する期間において最大の心拍数であることを表わす情報に対応する、コンテンツの再生時間を特定するための手段を含むことが望ましい。
【００１７】
また、上述の情報付加装置は、付加手段が情報を付加したコンテンツ情報を記録媒体に書込むための書込手段をさらに含むことが望ましい。
【００１８】
また、上述の書込手段は、付加手段が情報を付加したコンテンツ情報をデジタル情報として記録媒体に書込むための手段を含むことが望ましい。
【００１９】
本発明の他の局面に従うと、情報付加プログラムは、第１の記憶ステップと、出力ステップと、受付ステップと、第２の記憶ステップと、特定ステップと、付加ステップとを含む各ステップをコンピュータに実行させる。第１の記憶ステップは、コンテンツを表わす情報であるコンテンツ情報を記憶する。出力ステップは、コンテンツ情報を出力する。受付ステップは、コンテンツを視聴中の視聴者の反応を表わす生理現象の情報を時系列で受付ける。第２の記憶ステップは、生理現象の情報を、コンテンツの再生時間に対応付けて記憶する。特定ステップは、第２の記憶ステップにおいて記憶した生理現象の情報のうち、視聴者の所定の反応を表わす情報に対応する、コンテンツの再生時間を特定する。付加ステップは、コンテンツ情報に、特定ステップにおいて特定した再生時間を表わす情報を付加する。
【００２０】
本発明の他の局面に従うと、記録媒体は、情報付加プログラムを記録したコンピュータ読取可能な記録媒体である。記録媒体は、第１の記憶ステップと、出力ステップと、受付ステップと、第２の記憶ステップと、特定ステップと、付加ステップとを含む各ステップをコンピュータに実行させるための情報付加プログラムを記録する。第１の記憶ステップは、コンテンツを表わす情報であるコンテンツ情報を記憶する。出力ステップは、コンテンツ情報を出力する。受付ステップは、コンテンツを視聴中の視聴者の反応を表わす生理現象の情報を時系列で受付ける。第２の記憶ステップは、生理現象の情報を、コンテンツの再生時間に対応付けて記憶する。特定ステップは、第２の記憶ステップにおいて記憶した生理現象の情報のうち、視聴者の所定の反応を表わす情報に対応する、コンテンツの再生時間を特定する。付加ステップは、コンテンツ情報に、特定ステップにおいて特定して再生時間を表わす情報を付加する。
【発明の効果】
【００２１】
本発明に係る情報付加装置、情報付加プログラム、および情報付加プログラムを記録したコンピュータ読取り可能な記録媒体は、視聴者にコンテンツ自体への積極的な興味を抱かせることができる。
【発明を実施するための最良の形態】
【００２２】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２３】
図１のハードディスクレコーダ１０は、２種類のデジタル記録メディア再生装置を内蔵し、記録メディアから再生されたコンテンツなど供給される各種コンテンツを、装置外部に予め接続されたモニタ装置１４に映像信号または音声信号として視聴可能なように出力する装置である。リモコン（リモートコントローラの略）１２は、ユーザが各種の指令を入力するために操作される装置であり、その指令に対応する赤外線信号を発信する。
【００２４】
ハードディスクレコーダ１０は、ＤＶＤ（Digital Versatile Disc）ドライブ２０と、ＨＤ（Hard Disk）装置２２と、放送局から送信されるデジタル放送信号を受信する外部のアンテナ６０を接続するチューナ２４と、ＯＳＤ（On Screen Display)５０を内蔵するＭＰＥＧ（Motion Picture Experts Group）コーデックエンジン２６と、メモリ２８と、映像出力部３０と、音声出力部３２と、リモコン受信部３４と、制御部３６と、視聴者の心拍を検出し、かつ心拍を表わす信号を供給するための心拍センサ７０を接続する外部インターフェイス（Inter Face）３８とを備える。
【００２５】
ＤＶＤドライブ２０は光ディスク（本実施の形態の場合ＤＶＤディスク３００）に記録されたデジタルコンテンツの情報を読出す装置である。本実施の形態の場合、ＤＶＤディスク３００には、任意の情報（本実施の形態の場合、デジタルコンテンツの情報）が記録されている。
【００２６】
ＨＤ装置２２は、ユーザ所望のデジタルコンテンツの信号をハードディスク４２に記録し、その記録したデジタルコンテンツの信号を読出す装置である。ここで、ハードディスク４２に記録される信号としては、たとえばＭＰＥＧ２規格に準拠する映像ファイルやＭＰ３（MPEG-1 Audio Layer3）規格に準拠する音声ファイルなどが挙げられる。
【００２７】
ＨＤ装置２２は、記録媒体（本実施の形態の場合ハードディスク４２）が記録した番組を構成する情報のいずれかを読出す読出しヘッド４４と、放送信号とチャプタ（放送信号を受信した期間の境界）を表わす情報とを記録媒体に記録する記録ヘッド４６と、ハードディスク４２とを含む。
【００２８】
チューナ２４は、アンテナ６０が放送局から発信されるデジタル放送信号を受信すると、制御部３６により指定されるチャンネルの放送信号（デジタルコンテンツの信号）を抽出して出力する。
【００２９】
ＭＰＥＧコーデックエンジン２６は、ＤＶＤドライブ２０により再生されたデジタルコンテンツの信号、ＨＤ装置２２が内蔵するハードディスク４２から読出されたデジタルコンテンツの信号、およびチューナ２４が抽出したデジタルコンテンツの信号のうちのいずれかが制御部３６の切換制御により与えられると、与えられたそのデジタル信号を受付け、復号（デコード）し、出力する。ＭＰＥＧコーデックエンジン２６が内蔵するＯＳＤ５０は制御部３６により与えられた情報に基づいて画像データを生成し、それをモニタ装置１４の画面に可視表示するために映像出力部３０に対して出力する。
【００３０】
メモリ２８には、チューナ２４が受信可能な放送チャンネルが予めチャンネルスキャン（オートスキャン）して取得されて格納され、また、制御部３６の動作プログラムが格納される。メモリ２８には、後述する情報の処理のためのフラグやデータも格納されている。
【００３１】
映像出力部３０は、読出しヘッド４４がハードディスク４２から読出し、かつＭＰＥＧコーデックエンジン２６が復号した映像データを出力する装置である。映像出力部３０は、映像データをモニタ装置１４が出力可能な映像信号に変換した後、映像信号をモニタ装置１４に対して出力する。
【００３２】
音声出力部３２は、読出しヘッド４４がハードディスク４２から読出し、かつＭＰＥＧコーデックエンジン２６が復号した音声データを出力する装置である。音声出力部３２は、音声データをモニタ装置１４が出力可能な音声信号に変換した後、音声信号をモニタ装置１４に対して出力する。
【００３３】
リモコン受信部３４は、赤外線を介してリモコン１２から発信される各種の指令信号を受信する。リモコン受信部３４は、受信した指令信号を制御部３６に伝送する。制御部３６は、メモリ２８に格納された動作プログラムに基づいて装置各部の制御を行なう装置である。制御部３６は、外部インターフェイス３８を介して心拍センサ７０から入力された視聴者の心拍を表わす信号に基づいてコンテンツに対し情報を付加する装置でもある。
【００３４】
このハードディスクレコーダ１０は、コンピュータハードウェアと制御部３６により実行されるソフトウェアとにより実現される。一般的にこうしたソフトウェアは、ＤＶＤディスク３００などの記録媒体に格納されて流通し、ＤＶＤドライブ２０などにより記録媒体から読取られてハードディスク４２に一旦格納される。さらにメモリ２８に読出されて、上述した制御部３６により実行される。上述したコンピュータのハードウェア自体は一般的なものである。したがって、本発明の最も本質的な部分は、ＤＶＤディスク３００などの記録媒体に記録されたソフトウェアである。なお、コンピュータ自体の動作は周知であるので、ここではその詳細な説明は繰返さない。
【００３５】
図２を参照して、ハードディスクレコーダ１０で実行されるプログラムは、チャプタの設定に関し、以下のような制御を実行する。
【００３６】
ステップ１００（以下、ステップをＳと略す。）にて、ＨＤ装置２２の読出しヘッド４４は、制御部３６の制御により、ハードディスク４２からコンテンツ情報を読出す。ＨＤ装置２２は、ハードディスク４２により、予めコンテンツを表わす情報であるコンテンツ情報を記憶している。読出しヘッド４４は、読出したコンテンツ情報を、ＭＰＥＧコーデックエンジン２６に出力する。ＭＰＥＧコーデックエンジン２６は、制御部３６の制御により、読出しヘッド４４が出力したコンテンツ情報を、復号する。ＭＰＥＧコーデックエンジン２６は、復号したコンテンツ情報を映像出力部３０に出力する。映像出力部３０は、制御部３６の制御により、ＭＰＥＧコーデックエンジン２６が復号した信号を、モニタ装置１４が受付けできる信号に変換する。信号が変換されると、映像出力部３０は、変換した信号をモニタ装置１４に出力する。ＭＰＥＧコーデックエンジン２６は、自らが復号した信号を音声出力部３２にも出力する。音声出力部３２は、ＭＰＥＧコーデックエンジン２６が出力した信号を、制御部３６の制御により、モニタ装置１４が出力できる信号に変換する。信号が変換されると、音声出力部３２は、変換した信号をモニタ装置１４に出力する。これにより、映像出力部３０および音声出力部３２は、コンテンツ情報を出力することとなる。制御部３６は、ハードディスクレコーダ１０の各装置にコンテンツを再生させることとなる。
【００３７】
Ｓ１０２にて、制御部３６は、外部インターフェイス３８に対し、心拍センサ７０からの信号を受付けるべき旨の信号を出力する。外部インターフェイス３８は、心拍センサ７０から、映像出力部３０および音声出力部３２が出力したコンテンツを視聴中の視聴者の心拍を表わす情報を時系列で受付ける。本実施の形態の場合、外部インターフェイス３８は、視聴者の心拍を表わす情報を、信号として受付けることとする。これにより、制御部３６は、外部インターフェイス３８に、心拍センサ７０から視聴者の心拍の信号を受付けさせることとなる。
【００３８】
Ｓ１０４にて、制御部３６は、メモリ２８に、コンテンツの再生時間の情報とともに、外部インターフェイス３８が受付けた、視聴者の心拍を記憶させる。本実施の形態の場合、制御部３６は、ＨＤ装置２２の読出しヘッド４４がコンテンツ情報の読出を開始する時刻と外部インターフェイス３８が心拍センサ７０からの信号の受付けを開始する時刻とを同期させる。これにより、メモリ２８は、視聴者の心拍を表わす情報を、コンテンツの再生時間に対応付けて記憶することが可能となる。
【００３９】
Ｓ１０６にて、制御部３６は、ＨＤ装置２２の読出しヘッド４４が出力したコンテンツ情報に基づき、１つのコンテンツの再生が終了したか否かを判断する。１つのコンテンツの再生が終了したと判断した場合（Ｓ１０６にてＹＥＳ）、処理はＳ１０８へと移される。もしそうでないと（Ｓ１０６にてＮＯ）、処理はＳ１０２へと移される。
【００４０】
Ｓ１０８にて、制御部３６は、メモリ２８が記憶した視聴者の心拍を表わす情報のうち、視聴者の単位時間当たりの心拍数がコンテンツを視聴する期間において最大の心拍数であることを表わす情報に対応する、コンテンツの再生時間を特定する。本実施の形態の場合、外部インターフェイス３８は、心拍センサ７０が出力する信号をポーリングにて受付けることとする。これにより、制御部３６は、単位時間当たりの心拍数を算出することができる。単位時間当たりの心拍数が算出されるので、制御部３６は、単位時間当たりの心拍数が最大となる再生時間を特定することが可能となる。
【００４１】
Ｓ１１０にて、ＨＤ装置２２の記録ヘッド４６は、制御部３６の制御により、制御部３６が特定した再生時間を表わす情報（チャプタ）を付加する。
【００４２】
Ｓ１１２にて、ＤＶＤドライブ２０は、制御部３６の制御により、ＨＤ装置２２の記録ヘッド４６がチャプタを付加したコンテンツ情報を記録媒体（本実施の形態の場合ＤＶＤディスク）に書込む。これにより、ＤＶＤドライブ２０は、ＨＤ装置２２の記録ヘッド４６がチャプタを付加したコンテンツ情報をデジタル情報としてＤＶＤディスクに書込むこととなる。
【００４３】
以上のような構造およびフローチャートに基づく、ハードディスクレコーダ１０の動作について説明する。
【００４４】
制御部３６は、ハードディスクレコーダ１０の各装置にコンテンツ情報を再生させる（Ｓ１００）。コンテンツ情報が再生されると、制御部３６は、外部インターフェイス３８に、予め定めた周期で、心拍センサ７０から視聴者の心拍の信号を受付けさせる（Ｓ１０２）。信号が受付けられると、制御部３６は、メモリ２８に、コンテンツの再生時間の情報とともに、視聴者の心拍を表わす信号を記憶させる（Ｓ１０４）。心拍を表わす情報が記憶されると、制御部３６は、１つのコンテンツの再生が終了したか否かを判断する（Ｓ１０６）。当初、コンテンツは終了しないので（Ｓ１０６にてＮＯ）、Ｓ１０２〜Ｓ１０６の処理が繰返される。最終的に、１つのコンテンツが終了するので（Ｓ１０６にてＹＥＳ）、制御部３６は、メモリ２８が記憶した視聴者の心拍を表わす情報のうち、視聴者の単位時間当たりの心拍数がコンテンツを視聴する期間において最大の心拍数であることを表わす情報に対応する、コンテンツの再生時間を特定する（Ｓ１０８）。再生時間が特定されると、記録ヘッド４６は、コンテンツ情報に、制御部３６が特定した再生時間を表わす情報を付加する（Ｓ１１０）。情報が付加されると、ＤＶＤドライブ２０は、記録ヘッド４６が情報を付加したコンテンツ情報をＤＶＤディスクに書込む（Ｓ１１２）。
【００４５】
以上のようにして、本実施の形態に係るハードディスクレコーダは、視聴者がコンテンツを視聴する際、シーンの変化や視聴者の指示ではなく視聴者の心拍数を検出し、単位時間当たりの心拍数が大きく変動した部分に、チャプタを記録する。単位時間当たりの心拍数が変化するということは、印象深いシーンや心理面に大きな影響を受けたシーン（たとえば「ドキッ」としたシーン）の変わり目であることを表わす。これにより、視聴者の反応に応じてコンテンツの内容を変化させなくても、視聴者にコンテンツ自体への積極的な興味を抱かせることができる。コンテンツを直接視聴した視聴者ばかりでなく、次の方法などにより、そのコンテンツをまだ視聴していない未来の視聴者にもコンテンツへの積極的な興味を抱かせることができる。未来の視聴者にもコンテンツへの積極的な興味を抱かせる方法とは、たとえば、芸能人や映画評論家などがコンテンツを視聴した際、心拍数が大きく変動した箇所にチャプタを付加したコンテンツ情報を、ＤＶＤなどとして提供する方法である。その結果、視聴者にコンテンツ自体への積極的な興味を抱かせることができる情報付加装置、情報付加プログラム、および情報付加プログラムを記録したコンピュータ読取可能な記録媒体を提供することができる。
【００４６】
なお、外部インターフェイス３８は、心拍センサ７０に代えて、視聴者の反応を表わす血流の拍動についての情報を検出する装置から、情報を受付けてもよい。これにより、外部インターフェイス３８は、視聴者の反応を表わす血流の拍動についての情報を時系列で受付ける装置となる。「視聴者の反応を表わす血流の拍動についての情報」の例として、視聴者の脈拍などの情報がある。
【００４７】
また、外部インターフェイス３８は、心拍センサ７０に代えて、生理現象の情報を検出する装置から、情報を受付けてもよい。これにより、外部インターフェイス３８は、視聴者の反応を表わす生理現象の情報を時系列で受付ける装置となる。制御部３６は、メモリ２８が記憶した視聴者の反応を表わす生理現象の情報から、所定の反応を表わす情報に対応する、コンテンツの再生時間を特定することとなる。「視聴者の反応を表わす生理現象」の例として、視聴者の皮膚の発汗量や視聴者の皮膚における温度などの情報がある。また、外部インターフェイス３８は、心拍センサ７０に代えて、視聴者の反応を表わす情報であって生理現象の情報とは異なる情報を受付けてもよい。「視聴者の反応を表わす情報であって生理現象の情報とは異なる情報」の例として、視聴者が無意識に発する歓声や悲鳴がある。
【００４８】
また、Ｓ１０８にて、制御部３６は、最大の心拍数であることを表わす情報に対応する再生時間を特定することに代えて、そのような要件とは異なる、所定の要件を満たすことを表わす情報に対応する、コンテンツの再生時間を特定してもよい。「所定の要件」の例として、予めハードディスクレコーダ１０の設計者が設定したしきい値を上回ることが含まれる。これにより、制御部３６は、メモリ２８が記憶した視聴者の心拍を表わす情報のうち、視聴者の単位時間当たりの心拍数が所定の要件を満たすことを表わす情報に対応する、コンテンツの再生時間を特定することとなる。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５０】
【図１】本発明の実施の形態に係るハードディスクレコーダの制御ブロック図である。
【図２】本発明の実施の形態に係るチャプタの付加処理の制御の手順を示すフローチャートである。
【符号の説明】
【００５１】
１０  ハードディスクレコーダ、１２  リモコン、１４  モニタ装置、２０  ＤＶＤドライブ、２２  ＨＤ装置、２４  チューナ、２６  ＭＰＥＧコーデックエンジン、２８  メモリ、３０  映像出力部、３２  音声出力部、３４  リモコン受信部、３６  制御部、３８  外部インターフェイス、４２  ハードディスク、４４  読出しヘッド、４６  記録ヘッド、５０  ＯＳＤ、６０  アンテナ、７０  心拍センサ、３００  ＤＶＤディスク。
【図１】
2006339797.tif 000003
【図２】
2006339797.tif 000004